(57)【要約】【課題】移動局の移動速度に応じて、ネットワークより通知された測定処理の測定頻度を調整する。【解決手段】本発明に係る移動局ＵＥは、移動局ＵＥの移動速度を検出するように構成されている速度検出部１３と、検出された移動速度に基づいて、移動局ＵＥが測定処理を行う頻度である測定頻度（具体的には、測定頻度を算出するために用いるパラメータ）を決定するように構成されているパラメータ・スケーリング選択部１４（決定部）とを具備する。【選択図】図５
2013038686.tif 000002
【特許請求の範囲】
【請求項１】
移動局であって、
前記移動局の移動速度を検出するように構成されている速度検出部と、
検出された前記移動速度に基づいて、前記移動局が測定処理を行う頻度である測定頻度を決定するように構成されている決定部とを具備することを特徴とする移動局。
【請求項２】
前記決定部は、ネットワークから通知されるパラメータに基づいて、前記測定頻度を決定するように構成されていることを特徴とする請求項１に記載の移動局。
【請求項３】
前記決定部は、ネットワークから通知されるパラメータに基づいて、Ｐｃｅｌｌ又はＰＣＣにおける前記測定頻度を決定するように構成されていることを特徴とする請求項１に記載の移動局。
【請求項４】
前記決定部は、ネットワークから通知されるパラメータに基づいて、Ｓｃｅｌｌ又はＳＣＣにおける前記測定頻度を決定するように構成されていることを特徴とする請求項１に記載の移動局。
【請求項５】
前記決定部は、前記移動局が間欠受信状態であるか否かに基づいて、前記測定頻度を決定するように構成されていることを特徴とする請求項１又は２に記載の移動局。
【請求項６】
前記決定部は、前記移動局が間欠受信状態であるか否かに基づいて、Ｐｃｅｌｌ又はＰＣＣにおける前記測定頻度を決定するように構成されていることを特徴とする請求項１又は２に記載の移動局。
【請求項７】
前記決定部は、前記移動局が間欠受信状態であるか否かに基づいて、Ｓｃｅｌｌ又はＳＣＣにおける前記測定頻度を決定するように構成されていることを特徴とする請求項１又は２に記載の移動局。
【請求項８】
移動局が、該移動局の移動速度を検出する工程と、
前記移動局が、検出された前記移動速度に基づいて、該移動局が測定処理を行う頻度である測定頻度を決定する工程とを有することを特徴とする移動通信方法。
【請求項９】
移動局に対して、該移動局が移動速度に基づいて測定処理の測定頻度を決定するために用いるネットワークパラメータを送信するように構成されている送信部を具備することを特徴とする無線基地局。
【発明の詳細な説明】
【技術分野】
【０００１】
本発明は、移動局及び移動通信方法に関する。
【背景技術】
【０００２】
３ＧＰＰで規定されているＷＣＤＭＡ（Ｗｉｄｅｂａｎｄ-ＣＤＭＡ）方式やＬＴＥ（Ｌｏｎｇ  Ｔｅｒｍ  Ｅｖｏｌｕｔｉｏｎ）方式やＬＴＥ-Ａ（ＬＴＥ-Ａｄｖａｎｃｅｄ）方式では、移動局ＵＥは、かかる移動局ＵＥの移動速度に応じて、各種ネットワークパラメータの値をスケーリング又は選択するように構成されている。
【０００３】
３ＧＰＰでは、かかる移動速度を検出する方法として、一定区間のセルまたぎ数に応じて、「Ｌｏｗ」、「Ｍｅｄｉｕｍ」又は「Ｈｉｇｈ」を判定する方法が標準化されている。
【０００４】
移動局ＵＥは、かかる判定結果に基づいて、予めネットワークから通知された「Ｍｅｄｉｕｍ」用の係数又は「Ｈｉｇｈ」用の係数を用いて、「Ｌｏｗ」用に設定された各種ネットワークパラメータをスケーリングするように構成されていてもよい。
【０００５】
或いは、移動局ＵＥは、かかる判定結果に基づいて、予めネットワークから通知された「Ｌｏｗ」用に設定された各種ネットワークパラメータ、「Ｍｅｄｉｕｍ」用に設定された各種ネットワークパラメータ又は「Ｈｉｇｈ」用に設定された各種ネットワークパラメータを用いるように構成されていてもよい。
【０００６】
かかるネットワークパラメータとしては、ＩＤＬＥモードの場合に用いられる「Ｑｈｙｓｔ（受信レベルのヒステリシス）」や「Ｔｒｅｓｅｌｅｃｔｉｏｎ（時間方向のヒステリシス）」や、ＣＯＮＮＥＣＴＥＤモードの場合に用いられる「Ｈｙｓｔｅｒｅｓｉｓ（受信レベルのヒステリシス）」や「Ｔｉｍｅ  ｔｏ  ｔｒｉｇｇｅｒ（ＴＴＴ）（時間方向のヒステリシス）」が想定されている。
【０００７】
かかる標準仕様の目的は、以下の通りである。すなわち、移動局ＵＥが、高速で移動している場合には、ヒステリシス期間中にも、在圏セルの受信品質が急速に低下していく可能性がある。
【０００８】
かかる場合、「Ｑｈｙｓｔ/Ｔｒｅｓｅｌｅｃｔｉｏｎ（又は、Ｈｙｓｔｅｒｅｓｉｓ/ＴＴＴ）」の値 が大きいと、その分、セル再選択処理（Ｃｅｌｌ  ｒｅｓｅｌｅｃｔｉｏｎ）又はハンドオーバ処理（ＨＯ）の実施が遅れることになるため、移動局ＵＥの移動速度の検出結果に基づいて、かかるヒステリシスについてスケーリングしたり、適切なヒステリシスを選択したりする仕様となっている。
【０００９】
ここで、図８を参照にして、移動局ＵＥのセル跨ぎ数に応じた移動速度の検出方法の一例について説明する。
【００１０】
図８に示すように、移動中のＩＤＬＥモードの移動局ＵＥは、判定期間ＡにおけるセルＡ/Ｂの受信品質の測定結果に基づいて、Ｔ２において、セル再選択処理を行い、在圏セル（ａｃｔｉｖｅ  ｃｅｌｌ）をセルＡからセルＢに変更する。この際、セルＡは、移動局ＵＥが検出しているが在圏していないセルである「ｍｏｎｉｔｏｒ  ｃｅｌｌ」に移る。
【００１１】
同様に、移動中のＩＤＬＥモードの移動局ＵＥは、判定期間ＢにおけるセルＢ/Ｃの受信品質の測定結果に基づいて、Ｔ３において、セル再選択処理を行い、在圏セル（ａｃｔｉｖｅ  ｃｅｌｌ）をセルＢからセルＣに変更する。この際、セルＢは、移動局ＵＥが検出しているが在圏していないセルである「ｍｏｎｉｔｏｒ  ｃｅｌｌ」に移る。
【００１２】
なお、ＩＤＬＥモードの移動局ＵＥが同時に在圏（発着信）することができるセルは、１つだけである。
【００１３】
また、移動中のＣＯＮＮＥＣＴＥＤモードの移動局ＵＥは、判定期間ＡにおけるセルＡ/Ｂの受信品質の測定結果に基づいて、Ｔ２において、予めネットワークから通知されたＥｖｅｎｔ条件（ＨｙｓｔｅｒｅｓｉｓやＴＴＴ）が満たされていることを検出し、ネットワークに対して「Ｍｅａｓｕｒｅｍｅｎｔ  Ｒｅｐｏｒｔ（ＭＲ）」を送信するように構成されている。
【００１４】
同様に、移動中のＣＯＮＮＥＣＴＥＤモードの移動局ＵＥは、判定期間ＢにおけるセルＢ/Ｃの受信品質の測定結果に基づいて、Ｔ３において、予めネットワークから通知されたＥｖｅｎｔ条件（ＨｙｓｔｅｒｅｓｉｓやＴＴＴ）が満たされていることを検出し、ネットワークに対して「Ｍｅａｓｕｒｅｍｅｎｔ  Ｒｅｐｏｒｔ（ＭＲ）」を送信するように構成されている。
【００１５】
ここで、移動局ＵＥは、予めネットワークから通知された期間（ＴＣＲｍａｘ）に行ったセル再選択処理やハンドオーバ処理の回数をカウントし、かかる回数が予めネットワークから通知された回数（ＮＣＲ_Ｍ、又は、ＮＣＲ_Ｈ）を超えると、移動局ＵＥの移動速度を、それぞれ「Ｍｅｄｉｕｍ」又は「Ｈｉｇｈ」と判定するように構成されている。
【００１６】
また、図９を参照して、移動局ＵＥのセル再選択処理を行うか否かについて判定する方法、又は、「Ｍｅａｓｕｒｅｍｅｎｔ  Ｒｅｐｏｒｔ（ＭＲ）」を送信するか否かについて判定する方法（或いは、Ｅｖｅｎｔ条件が満たされているか否かについて判定する方法）の一例を示す。
【００１７】
ここで、これらの方法では、ばたつきを押さえるための「判定条件」として、各種のヒステリシスが規定されている。
【００１８】
図９に示すように、ＩＤＬＥモードの移動局ＵＥは、在圏セルよりも受信品質の良いセルを検出しても、すぐにセル再選択処理を行うわけではない。
【００１９】
例えば、ＩＤＬＥモードの移動局ＵＥは、図９に示すように、「ｍｏｎｉｔｏｒ  ｓｅｌｌ（セルｂ）」の受信品質が、「ａｃｔｉｖｅ  ｃｅｌｌ（セルａ）」の受信品質と「Ｑｈｙｓｔ」との和を上回る状態が、「Ｔｒｅｓｅｌｅｃｔｉｏｎ」秒以上続いた場合に、セル再選択処理を行うように構成されている。
【００２０】
また、ＣＯＮＮＥＣＴＥＤモードの移動局ＵＥは、Ｅｖｅｎｔ条件（ＨｙｓｔｅｒｅｓｉｓやＴＴＴ）を満たした場合に、ネットワークに対して、「Ｍｅａｓｕｒｅｍｅｎｔ  Ｒｅｐｏｒｔ（ＭＲ）」を送信するように構成されている。
【先行技術文献】
【非特許文献】
【００２１】
【非特許文献１】３ＧＰＰ  ＴＳ２５.３０４
【非特許文献２】３ＧＰＰ  ＴＳ２５.３０６
【非特許文献３】３ＧＰＰ  ＴＳ２５.３３１
【非特許文献４】３ＧＰＰ  ＴＳ３６.３０４
【非特許文献５】３ＧＰＰ  ＴＳ３６.３０６
【非特許文献６】３ＧＰＰ  ＴＳ３６.３３１
【発明の概要】
【発明が解決しようとする課題】
【００２２】
ここで、上述した従来の移動通信システムでは、移動局ＵＥは、移動速度の検出結果に応じて、ヒステリシス等のネットワークパラメータを、スケーリングしたり、各移動速度に対応するネットワークパラメータを選択したりするが、そもそも、セル再選択処理を行うか否かについて判定する方法や、「Ｍｅａｓｕｒｅｍｅｎｔ  Ｒｅｐｏｒｔ（ＭＲ）」を送信するか否かについて判定する方法を実施するためには、在圏セルや周辺セルに対する測定処理（Ｍｅａｓｕｒｅｍｅｎｔ）を実施し、これらのセルの受信品質を取得していなければならない。
【００２３】
特に、移動局ＵＥが高速で移動している場合には、かかる移動局ＵＥによる測定処理の測定頻度を上げることが重要になる。
【００２４】
ただし、これらの測定処理の測定頻度は、移動局ＵＥの実装依存になっており、ネットワークでは、かかる測定頻度について制御することができないという問題点があった。
【００２５】
そこで、本発明は、上述の課題に鑑みてなされたものであり、移動局の移動速度に応じて、ネットワークより通知された測定処理の測定頻度を調整することができる移動局及び移動通信方法を提供することを目的とする。
【課題を解決するための手段】
【００２６】
本発明の第１の特徴は、移動局であって、前記移動局の移動速度を検出するように構成されている速度検出部と、検出された前記移動速度に基づいて、前記移動局が測定処理を行う頻度である測定頻度を決定するように構成されている決定部とを具備することを要旨とする。
【００２７】
本発明の第２の特徴は、移動通信方法であって、移動局が、該移動局の移動速度を検出する工程と、前記移動局が、検出された前記移動速度に基づいて、該移動局が測定処理を行う頻度である測定頻度を決定する工程とを有することを要旨とする。
【００２８】
本発明の第３の特徴は、無線基地局であって、移動局に対して、該移動局が移動速度に基づいて測定処理の測定頻度を決定するために用いるネットワークパラメータを送信するように構成されている送信部を具備することを要旨とする。
【発明の効果】
【００２９】
以上説明したように、本発明によれば、移動局の移動速度に応じて、ネットワークより通知された測定処理の測定頻度を調整することができる移動局及び移動通信方法を提供することができる。
【図面の簡単な説明】
【００３０】
【図１】本発明の第１の実施形態に係る移動通信システムの全体構成図である。
【図２】本発明の第１の実施形態に係る移動局の機能ブロック図である。
【図３】本発明の第１の実施形態に係る移動局が測定頻度を決定する動作について説明するための図である。
【図４】本発明の第１の実施形態に係る無線基地局の機能ブロック図である。
【図５】本発明の第１の実施形態に係る移動局の動作を説明するフローチャートである。
【図６】本発明の変更例１に係る移動局の機能ブロック図である。
【図７】本発明の変更例１に係る移動局の動作を説明するフローチャートである。
【図８】従来の移動通信システムについて説明するための図である。
【図９】従来の移動通信システムについて説明するための図である。
【発明を実施するための形態】
【００３１】
（本発明の第１の実施形態に係る移動通信システム）
図１乃至図５を参照して、本発明の第１の実施形態に係る移動通信システムについて説明する。
【００３２】
本実施形態に係る移動通信システムは、ＬＴＥ方式又はＬＴＥ-Ａ方式の移動通信システムであり、図１に示すように、セルＡを管理する無線基地局ｅＮＢ＃Ａ、セルＢを管理する無線基地局ｅＮＢ＃Ｂ及びセルＣを管理する無線基地局ｅＮＢ＃Ｃを具備している。
【００３３】
ここで、ＬＴＥ-Ａ方式に対応している移動局ＵＥは、ＬＴＥ-Ａ方式の移動通信システムにおいて、同時に複数のキャリア（Ｃｏｍｐｏｎｅｎｔ  Ｃａｒｒｉｅｒ：ＣＣ）と通信する「Ｃａｒｒｉｅｒ  Ａｇｇｒｅｇａｔｉｏｎ（ＣＡ）」を行うことができる。
【００３４】
なお、ＣＣには、「Ｐｒｉｍａｒｙ  ＣＣ（ＰＣＣ）」及び「Ｓｅｃｏｎｄａｒｙ  ＣＣ（ＳＣＣ）」がある。
【００３５】
「ＣＡ」を行っている移動局ＵＥは、ＰＣＣ上では、常に通信を行うように構成されている。なお、ＰＣＣ上のサービングセルを「Ｐｃｅｌｌ」と呼ぶ。
【００３６】
一方、「ＣＡ」を行っている移動局ＵＥは、ＳＣＣ上では、常に通信しているわけではなく、送受信すべきデータが存在するときだけ通信するように構成されている（「Ｄｅａｃｔｉｖｅ状態」）。なお、ＳＣＣ上のサービングセルを「Ｓｃｅｌｌ」と呼ぶ。
【００３７】
「Ｄｅａｃｔｉｖｅ状態」であっても、移動局ＵＥは、一定間隔で、Ｓｃｅｌｌ又はＳＣＣ上の他セルに対する測定処理を実施する必要がある。ネットワークは、「ｍｅａｓＣｙｃｌｅＳｃｅｌｌ」を用いて、かかる測定処理の測定頻度を指定するように規定されている。
【００３８】
図２に示すように、本実施形態に係る移動局ＵＥは、パラメータ取得部１１と、Ｃｅｌｌ  ｒｅｓｅｌｅｃｔｉｏｎ（ＣＲ）/ＨＯ回数カウント部１２と、速度検出部１３と、パラメータ・スケーリング選択部１４と、測定部１５と、判定部１６と、通知部１７とを具備している。
【００３９】
パラメータ取得部１１は、ネットワークから、ネットワークパラメータを取得するように構成されている。かかるネットワークパラメータには、移動局ＵＥによる測定処理の測定頻度（測定周期）や、移動局ＵＥの移動速度を検出するために用いられる閾値や、セル再選択処理を行うか否かについて判定するための閾値や、「Ｍｅａｓｕｒｅｍｅｎｔ  Ｒｅｐｏｒｔ（ＭＲ）」を送信するか否かについて判定するための閾値等が想定される。
【００４０】
パラメータ取得部１１は、報知情報を介して、ネットワークパラメータを取得するように構成されていてもよいし、測定コマンドを受信する際に、ネットワークパラメータを取得するように構成されていてもよい。
【００４１】
Ｃｅｌｌ  ｒｅｓｅｌｅｃｔｉｏｎ（ＣＲ）/ＨＯ回数カウント部１２は、予めネットワークから通知された期間（ＴＣＲｍａｘ）に行われた移動局ＵＥのセル再選択処理やハンドオーバ処理の回数をカウントするように構成されている。
【００４２】
なお、Ｃｅｌｌ  ｒｅｓｅｌｅｃｔｉｏｎ（ＣＲ）/ＨＯ回数カウント部１２は、速度検出部１３に対して、カウントした回数を通知するように構成されている。
【００４３】
速度検出部１３は、移動局ＵＥの移動速度を検出するように構成されている。具体的には、速度検出部１３は、上述のネットワークパラメータや、Ｃｅｌｌ  ｒｅｓｅｌｅｃｔｉｏｎ（ＣＲ）/ＨＯ回数カウント部１２によって通知された移動局ＵＥのセル再選択処理やハンドオーバ処理の回数等を用いて、移動局ＵＥの移動速度を検出するように構成されていてもよい。
【００４４】
例えば、速度検出部１３は、かかる移動局ＵＥのセル再選択処理やハンドオーバ処理の回数が予めネットワークから通知された回数（ＮＣＲ_Ｍ、又は、ＮＣＲ_Ｈ）を超えると、移動局ＵＥの移動速度を、それぞれ「Ｍｅｄｉｕｍ」又は「Ｈｉｇｈ」と判定するように構成されていてもよい。
【００４５】
一方、速度検出部１３は、かかる移動局ＵＥのセル再選択処理やハンドオーバ処理の回数が予めネットワークから通知された回数（ＮＣＲ_Ｍ）を超えていない場合、移動局ＵＥの移動速度を、「Ｌｏｗ」と判定するように構成されていてもよい。
【００４６】
ここで、Ｃｅｌｌ  ｒｅｓｅｌｅｃｔｉｏｎ（ＣＲ）/ＨＯ回数カウント部１２及び速度検出部１３は、「ＴＣＲｍａｘ」や「ＮＣＲ_Ｍ」や「ＮＣＲ_Ｈ」について、パラメータ取得部１１によって取得された値を用いてもよいし、移動局ＵＥに独自に設定されている値を用いてもよい。
【００４７】
なお、速度検出部１３は、ドップラー周波数測定による検出機能等の独自に実装されている機能を用いて、移動局ＵＥの移動速度を検出するように構成されていてもよい。
【００４８】
パラメータ・スケーリング選択部１４は、速度検出部１３によって検出された移動局ＵＥの移動速度に基づいて、移動局ＵＥが用いるべきネットワークパラメータ（例えば、測定頻度）を決定するように構成されている。
【００４９】
具体的には、パラメータ・スケーリング選択部１４は、速度検出部１３によって検出された移動局ＵＥの移動速度に対応するネットワークパラメータ（例えば、測定頻度）を選択するように構成されていてもよい。
【００５０】
例えば、パラメータ・スケーリング選択部１４は、予めネットワークから通知されている各移動速度に対応する測定頻度を選択するように構成されていてもよい。
【００５１】
ここで、パラメータ・スケーリング選択部１４は、予めネットワークから通知されている各移動速度に対応する測定頻度を超えない範囲で、各移動速度に対応する測定頻度を独自に決定するように構成されていてもよい。
【００５２】
或いは、パラメータ・スケーリング選択部１４は、速度検出部１３によって検出された移動局ＵＥの移動速度に基づいて、ネットワークパラメータ（例えば、測定頻度）をスケーリングするように構成されていてもよい。
【００５３】
例えば、パラメータ・スケーリング選択部１４は、予めネットワークから通知された「Ｍｅｄｉｕｍ」用の係数又は「Ｈｉｇｈ」用の係数を用いて、「Ｌｏｗ」用に設定された測定頻度をスケーリングするように構成されていてもよい。
【００５４】
かかる場合、パラメータ・スケーリング選択部１４は、速度検出部１３によって検出された移動局ＵＥの移動速度が所定閾値（「Ｍｅｄｉｕｍ」又は「Ｈｉｇｈ」）以上である場合にのみ、「Ｌｏｗ」用に設定された測定頻度を変更するように構成されていてもよい。
【００５５】
さらに、図３（ａ）及び図３（ｂ）に示すように、パラメータ・スケーリング選択部１４は、ネットワークによって通知された「ｍｅａｓＣｙｃｌｅＳｃｅｌｌ」に対して、予めネットワークから通知されている各移動速度に対応する係数を乗算することによって、Ｓｃｅｌｌ又はＳＣＣ上の他セルに対する測定処理の測定頻度を算出するように構成されていてもよい。
【００５６】
また、パラメータ・スケーリング選択部１４は、「ＣＡ」が行われている場合に、「Ｄｅａｃｔｉｖｅ状態」にあるＳｃｅｌｌ又は「Ｄｅａｃｔｉｖｅ状態」にあるＳｃｅｌｌのＳＣＣに対する測定処理を行う際に、かかる測定処理の測定頻度を決定するように構成されていてもよい。
【００５７】
或いは、パラメータ・スケーリング選択部１４は、「ＣＡ」が行われている場合に、Ｐｃｅｌｌ又はＰＣＣに対する測定処理を行う際に、かかる測定処理の測定頻度を決定するように構成されていてもよい。
【００５８】
すなわち、パラメータ・スケーリング選択部１４は、ネットワークから通知されるパラメータに基づいて、上述の測定頻度を決定するように構成されていてもよい。
【００５９】
ここで、パラメータ・スケーリング選択部１４は、ネットワークから通知されるパラメータに基づいて、Ｐｃｅｌｌ又はＰＣＣにおける測定頻度を決定するように構成されていてもよい。
【００６０】
また、パラメータ・スケーリング選択部１４は、ネットワークから通知されるパラメータに基づいて、Ｓｃｅｌｌ又はＳＣＣにおける測定頻度を決定するように構成されていてもよい。
【００６１】
測定部１５は、パラメータ・スケーリング選択部１４によって決定された測定頻度にて、在圏セル及び周辺セルに対する測定処理を行うように構成されている。
【００６２】
判定部１６は、上述のネットワークパラメータ及び測定部１５による測定結果に基づいて、セル再選択処理を行うか否かについて、或いは、「Ｍｅａｓｕｒｅｍｅｎｔ  Ｒｅｐｏｒｔ（ＭＲ）」を送信するか否かについて判定するように構成されている。
【００６３】
通知部１７は、判定部１６によって「Ｍｅａｓｕｒｅｍｅｎｔ  Ｒｅｐｏｒｔ（ＭＲ）」を送信すると判定された場合、ネットワークに対して、「Ｍｅａｓｕｒｅｍｅｎｔ  Ｒｅｐｏｒｔ（ＭＲ）」を送信するように構成されている。
【００６４】
本実施形態に係る移動通システムにおいて、無線基地局ｅＮＢ＃１乃至ｅＮＢ＃３の構成は、基本的に同一であるため、以下、代表して、無線基地局ｅＮＢ＃１の構成について説明する。図４に示すように、無線基地局ｅＮＢ＃１は、生成部２１と、送信部２２とを具備している。
【００６５】
生成部２１は、移動局ＵＥに対して送信すべきネットワークパラメータを生成するように構成されている。
【００６６】
例えば、生成部２１は、ネットワークパラメータとして、移動局ＵＥによる測定処理の測定頻度（測定周期）や、移動局ＵＥの移動速度を検出するために用いられる閾値や、セル再選択処理を行うか否かについて判定するための閾値や、「Ｍｅａｓｕｒｅｍｅｎｔ  Ｒｅｐｏｒｔ（ＭＲ）」を送信するか否かについて判定するための閾値等を生成するように構成されている。
【００６７】
ここで、生成部２１は、自律的に、かかるネットワークパラメータを生成するように構成されていてもよいし、上位ノードから通知された情報に基づいて、かかるネットワークパラメータを生成するように構成されていてもよい。
【００６８】
送信部２２は、生成部２２によって生成されたネットワークパラメータを、移動局ＵＥに対して送信するように構成されている。例えば、送信部２２は、報知情報を介して、かかるネットワークパラメータを送信するように構成されていてもよいし、測定コマンド等の個別メッセージを介して、かかるネットワークパラメータを送信するように構成されていてもよい。
【００６９】
以下、図５を参照して、本実施形態に係る移動局ＵＥの動作について説明する。
【００７０】
図５に示すように、ステップＳ１０１において、移動局ＵＥは、移動局ＵＥの移動速度を検出する。
【００７１】
ステップＳ１０２において、移動局ＵＥは、検出した移動速度が所定閾値（例えば、「Ｍｅｄｉｕｍ」又は「Ｈｉｇｈ」）以上であるか否かについて判定する。
【００７２】
「Ｙｅｓ」の場合、本動作は、ステップＳ１０３に進み、「Ｎｏ」の場合、本動作は、ステップＳ１０４に進む。
【００７３】
ステップＳ１０３において、移動局ＵＥは、検出した移動速度に基づいて、予めネットワークから通知されている測定頻度を変更する。
【００７４】
ステップＳ１０４において、移動局ＵＥは、予めネットワークから通知されている測定頻度、或いは、ステップＳ１０３において変更された測定頻度を用いて、測定処理を行う。
【００７５】
本発明の第１の実施形態に係る移動通信システムによれば、移動局ＵＥの移動速度に対応する測定頻度によって適切に測定処理（例えば、ＳｃｅｌｌやＳＣＣに対する測定処理）を行うことができる。
【００７６】
（変更例１）
以下、図６及び図７を参照して、本発明の変更例１に係る移動通信システムについて、上述の第１の実施形態に係る移動通信システムとの相違点に着目して説明する。
【００７７】
図６に示すように、本実施形態に係る移動局ＵＥは、図２に示す構成に加えて、状態管理部１４Ａを具備している。
【００７８】
状態管理部１４Ａは、移動局ＵＥが間欠受信（ＤＲＸ）状態であるか否かについて管理するように構成されている。
【００７９】
また、パラメータ取得部１１は、ネットワークから、Ｐｃｅｌｌ又はＰＣＣに対する測定処理の測定頻度を示す「ｍｅａｓＣｙｃｌｅＰｃｅｌｌ」を取得するように構成されている。
【００８０】
また、パラメータ・スケーリング選択部１４は、移動局ＵＥが間欠受信状態であるか否かに基づいて、上述の測定頻度を決定するように構成されていてもよい。
【００８１】
例えば、パラメータ・スケーリング選択部１４は、状態管理部１４Ａを参照して、移動局ＵＥが間欠受信状態である場合に、Ｐｃｅｌｌ又はＰＣＣに対する測定処理の測定頻度を決定するように構成されていてもよい。
【００８２】
例えば、パラメータ・スケーリング選択部１４は、ネットワークによって通知された「ｍｅａｓＣｙｃｌｅＰｃｅｌｌ」に対して、予めネットワークから通知されている各移動速度に対応する係数を乗算することによって、Ｐｃｅｌｌ又はＰＣＣに対する測定処理の測定頻度を算出するように構成されていてもよい。
【００８３】
なお、パラメータ・スケーリング選択部１４は、状態管理部１４Ａを参照して、移動局ＵＥが間欠受信状態である場合に、Ｓｃｅｌｌ又はＳＣＣに対する測定処理の測定頻度を決定するように構成されていてもよい。
【００８４】
以下、図７を参照して、本変更例１に係る移動局ＵＥの動作について説明する。
【００８５】
図７に示すように、ステップＳ２０１において、移動局ＵＥは、移動局ＵＥの移動速度を検出する。
【００８６】
ステップＳ２０２において、移動局ＵＥは、検出した移動速度が所定閾値（例えば、「Ｍｅｄｉｕｍ」又は「Ｈｉｇｈ」）以上であるか否かについて判定する。
【００８７】
「Ｙｅｓ」の場合、本動作は、ステップＳ２０３に進み、「Ｎｏ」の場合、本動作は、ステップＳ２０５に進む。
【００８８】
ステップＳ２０３において、移動局ＵＥは、間欠受信状態であるか否かについて判定する。
【００８９】
「Ｙｅｓ」の場合、本動作は、ステップＳ２０４に進み、「Ｎｏ」の場合、本動作は、ステップＳ２０５に進む。
【００９０】
ステップＳ２０４において、移動局ＵＥは、検出した移動速度に基づいて、予めネットワークから通知されている測定頻度を変更する。
【００９１】
ステップＳ２０５において、移動局ＵＥは、予めネットワークから通知されている測定頻度、或いは、ステップＳ１０３において変更された測定頻度を用いて、測定処理を行う。
【００９２】
本発明の第１の実施形態に係る移動通信システムによれば、移動局ＵＥの移動速度に対応する測定頻度によって適切に測定処理（例えば、ＰｃｅｌｌやＰＣＣに対する測定処理）を行うことができる。
【００９３】
以上に述べた本実施形態の特徴は、以下のように表現されていてもよい。
【００９４】
本実施形態の第１の特徴は、移動局ＵＥであって、移動局ＵＥの移動速度を検出するように構成されている速度検出部１３と、検出された移動速度に基づいて、移動局ＵＥが測定処理を行う頻度である測定頻度を決定するように構成されているパラメータ・スケーリング選択部１４（決定部）とを具備することを要旨とする。
【００９５】
本実施形態の第１の特徴において、パラメータ・スケーリング選択部１４は、ネットワークから通知されるパラメータに基づいて、上述の測定頻度を決定するように構成されていてもよい。
【００９６】
本実施形態の第１の特徴において、パラメータ・スケーリング選択部１４は、ネットワークから通知されるパラメータに基づいて、Ｐｃｅｌｌ又はＰＣＣにおける測定頻度を決定するように構成されていてもよい。
【００９７】
本実施形態の第１の特徴において、パラメータ・スケーリング選択部１４は、ネットワークから通知されるパラメータに基づいて、Ｓｃｅｌｌ又はＳＣＣにおける測定頻度を決定するように構成されていてもよい。
【００９８】
本実施形態の第１の特徴において、パラメータ・スケーリング選択部１４は、移動局ＵＥが間欠受信状態であるか否かに基づいて、上述の測定頻度を決定するように構成されていてもよい。
【００９９】
本実施形態の第１の特徴において、パラメータ・スケーリング選択部１４は、移動局ＵＥが間欠受信状態であるか否かに基づいて、Ｐｃｅｌｌ又はＰＣＣにおける測定頻度を決定するように構成されていてもよい。
【０１００】
本実施形態の第１の特徴において、パラメータ・スケーリング選択部１４は、移動局ＵＥが間欠受信状態であるか否かに基づいて、Ｓｃｅｌｌ又はＳＣＣにおける測定頻度を決定するように構成されていてもよい。
【０１０１】
本実施形態の第２の特徴は、移動通信方法であって、移動局ＵＥが、かかる移動局ＵＥの移動速度を検出する工程と、移動局ＵＥが、検出された移動速度に基づいて、かかる移動局ＵＥが測定処理を行う頻度である測定頻度を決定する工程とを有することを要旨とする。
【０１０２】
本実施形態の第３の特徴は、無線基地局ｅＮＢ＃１乃至ｅＮＢ＃３であって、  移動局ＵＥに対して、移動局ＵＥが移動速度に基づいて測定処理の測定頻度を決定するために用いるネットワークパラメータを送信するように構成されている送信部２２を具備することを要旨とする。
【０１０３】
なお、上述の無線基地局ｅＮＢ＃Ａ〜ｅＮＢ＃Ｃや移動局ＵＥの動作は、ハードウェアによって実施されてもよいし、プロセッサによって実行されるソフトウェアモジュールによって実施されてもよいし、両者の組み合わせによって実施されてもよい。
【０１０４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢ＃Ａ〜ｅＮＢ＃Ｃや移動局ＵＥ内に設けられていてもよい。また、かかる記憶媒体及びプロセッサは、ディスクリートコンポーネントとして無線基地局ｅＮＢ＃Ａ〜ｅＮＢ＃Ｃや移動局ＵＥ内に設けられていてもよい。
【０１０６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１０７】
ｅＮＢ＃Ａ、ｅＮＢ＃Ｂ、ｅＮＢ＃Ｃ…無線基地局
ＵＥ…移動局
１１…パラメータ取得部
１２…Ｃｅｌｌ  ｒｅｓｅｌｅｃｔｉｏｎ（ＣＲ）/ＨＯ回数カウント部
１３…速度検出部
１４…パラメータ・スケーリング選択部
１４Ａ…状態管理部
１５…測定部
１６…判定部
１７…通知部
【図１】
2013038686.tif 000003
【図２】
2013038686.tif 000004
【図３】
2013038686.tif 000005
【図４】
2013038686.tif 000006
【図５】
2013038686.tif 000007
【図６】
2013038686.tif 000008
【図７】
2013038686.tif 000009
【図８】
2013038686.tif 000010
【図９】
2013038686.tif 000011